(57)【特許請求の範囲】
【請求項１】
メダル投入口（３３ａ）を備えたハンドル（３３）と、メダル投入口（３３ａ）から投入されたメダルの真贋を判別するメダル判別装置（３２）と、メダル通路が形成された深い樋状の構造体であって、メダル判別装置（３２）から供給されたメダルを先端まで転動させゲームフィールド（２２）上に放出するメダルガイド（３１）とを一軸上に連結して成るメダル銃（３４）と、
メダル銃（３４）のハンドル（３３）に近接した箇所に設けられるアダプタ（３５）と、
透明板（１０）に取り付けられ、メダル銃（３４）をそのアダプタ（３５）とハンドル（３３）とを筐体外に残してゲーム機筐体前面の透明板（１０）に設けた取付孔に挿入した状態でアダプタ（３５）を回転自在に保持するブラケット（３６）と、
から成るメダルゲーム機用のメダルエントリー装置（３０）において、
アダプタ（３５）と、ブラケット（３６）の間にロータリーダンパー（３７）を設けたことを特徴とする上記のメダルエントリー装置（３０）。
【請求項２】
上記アダプタ（３５）に、ブラケット（３６）により保持される回転軸部（３５ａ）が設けられ、回転軸部（３５ａ）の端部には回転軸孔ａ（３６ａ）が設けられ、ロータリーダンパー（３７）の回転軸（３７ａ）は、この回転軸孔ａ（３６ａ）に固く挿入され、ロータリーダンパー（３７）の本体ベース（３７ｂ）は、ブラケット（３６）に固定されていることを特徴とする請求項１に記載のメダルエントリー装置。
【発明の詳細な説明】
【技術分野】
【０００１】
本発明は、メダルプッシャーゲーム機用メダルエントリー装置に関し、特に、プレイヤーがメダルエントリー装置を左右に速く且つ大きく振り動かし、ゲームフィールド上に積み上がったメダルを不正に振り落とそうとするなどの違反プレイを行うことに対する防護手段を備えたメダルエントリー装置に関するものである。
【背景技術】
【０００２】
メダルプッシャーゲーム機は従来広く知られ且つ楽しまれている。
メダルプッシャーゲーム機には、固定されたゲームフィールド上に前後に往復運動するメダルプッシャーが設けられており、プレイヤーがメダルエントリー装置を用いてゲームフィールド上に投入したメダルが、メダルプッシャーに押されてゲームフィールドの前縁に設けた払出溝に落とされると、それらのメダルがプレイヤーに払い出されるようになっている。
【０００３】
メダルプッシャーゲーム機には通常左右に各１丁のメダルエントリー装置が設けられており、メダルはプレイヤーがこのメダルエントリー装置を用いてゲームフィールド上に投入する外、各種のイベントが発生したとき、ゲームのルールに従って自動的に所定数のメダルがゲームフィールド上に放出されるようになっており、又、ゲームフィールドの左右には、所謂「親落ち溝」が設けられ、ここに落ちたメダルはゲーム機に回収されるようになっている。
【０００４】
このため、ゲーム中、幾つかのメダルがゲームフィールドから払出溝に落ちそうになっているが、なかなか落ちないと言う状況が発生する。
このような場合、プレイヤーの中には、メダルエントリー装置を左右に激しく振り、ゲーム機に衝撃を与え、不正にメダルを落とそうとする者が現れる。
【０００５】
かかる行為は、ゲームの公平を損ない、不当にメダルを取得する不正行為である上、エントリー装置その他、ゲーム装置の各部を損傷する不法行為であるが、従来はかかる不正行為を有効に防止できる手段がなかった。
【先行技術文献】
【特許文献】
【０００６】
【特許文献１】特開２００５−２１８６３８号公報
【特許文献２】特開２００４−１６７００１号公報
【発明の概要】
【発明が解決しようとする課題】
【０００７】
本発明は、メダルエントリー装置が左右に激しく振られても、装置本体に伝わる衝撃が緩和され、そのためメダルが不正に払出溝に落下するのを防止できる手段を提供することを目的とする。
即ち本発明は、不正行為防止装置付きのメダルエントリー装置を提供しようとするものである。
【課題を解決するための手段】
【０００８】
叙上の課題を解決するため、メダルエントリー装置と、それが取り付けられるメダルプッシャーゲーム機筐体の正面透明板の間にロータリーダンパーを設ける。
【発明の効果】
【０００９】
メダルエントリー装置には、左右の振り幅を規制するため、ストッパーピンが設けられているので、メダルエントリー装置に強い力が加えられたときは、ロータリーダンパーの作用で強い制動力が発生するため、メダルエントリー装置がストッパーピンに当るときの衝撃が緩和され、メダルが振り落とされることが防止できるものである。
【図面の簡単な説明】
【００１０】
【図１】図１は、メダルプッシャーゲーム機の正面図である。
【図２】図２は、本発明に係るメダルエントリー装置が、メダルプッシャーゲーム装置の正面透明板に取り付けられた状態を示す斜視図である。
【図３】図２に示した状態において、ロータリーダンパーの使用方法を示す一部立体分解図である。
【図４】図２に示した状態を示す平面図である。
【図５】ロータリーダンパーの取り付け状態を示す一部拡大断面図である。
【図６】メダルエントリー装置の取り付け状態を示す側面図である。
【発明を実施するための形態】
【実施例１】
【００１１】
図中、１００はメダルプッシャーゲーム機、
１０はその筐体前面の透明板、
２０は、固定されたゲームフィールド２２、ゲームフィールドの上面に設けられ、前後に往復移動するメダルプッシャー２４、及びメダルプッシャー２４の上面に接して設けられる固定壁部材からなるメインゲーム装置、
３０、３０Ａ、３０Ｂは、メダルガイド３１、メダル判別装置３２、ハンドル３３、メダル投入口３３ａ、本体部材３５、アダプタ３６、ロータリーダンパー３７及びローラリーダンパーケース３８、及び、メダル返戻ガイド３９から成るメダルエントリー装置、
４０は、ビデオディスプレイ装置、
５０は、メダルホッパー、
６０は、プラスチックカバーである。
【００１２】
図１において、メダルプッシャーゲーム装置１００の正面には、アクリル製の透明板１０が設けられ、透明板１０には、プレイヤーがメダルをゲーム装置内に投入するため、左右のメダルエントリー装置３０Ａ及び３０Ｂが設けられる。
【００１３】
ゲーム装置１００内には、メインゲーム装置２０、ビデオディスプレイ４０、メダルホッパー５０その他、公知のゲーム装置、演出装置が設けられている。
メインゲーム装置２０は、固定されたゲームフィールド２２、ゲームフィールド２２の上面に設けられ、前後に往復移動するメダルプッシャー２４、及びメダルプッシャー２４の上面に接して設けられる固定壁部材２６から成り、メダルプッシャー２４は、ゲームフィールド２２と固定壁部材２６の間に挟まれた状態で、前後に往復運動している。
【００１４】
本実施例において、透明板１０のメダルエントリー装置３０の取付部は、筐体内側に窪んでおり、メダルエントリー装置３０は、透明板１０に設けられたブラケット３６により、メダルガイド３１の先端が下向きになるよう傾斜した姿勢で取り付けられる。
【００１５】
メダルエントリー装置３０には、ハンドル３３に近接してアダプタ３５が設けられ、そのアダプタ３５には、その上端部に細く短い回転軸部３５ａを、下端部に回転軸孔３５ｂを互いに同軸となる様に設けてある。
【００１６】
アダプタ３５は、その回転軸部３５ａ及び回転軸孔３５ｂの中心軸が鉛直になるように、かつ回転自在に支持しており、これによりプレイヤーはメダルエントリー装置３０のハンドル３３を左右に回動させることにより、メダルガイド３１の方向を変えることができ、これによりメダル投入口３３ａから投入されたメダルを、ゲームフィールド２２又はメダルプッシャー２４の上に投入することができる。
【００１７】
このメダルプッシャーゲーム機では以下のようにしてゲームが行われる。
プレイヤーは予め取得した手持ちのメダルを、メダルエントリー装置を用いてゲームフィールド２２及びメダルプッシャー２４の上に放出する。
このため、放出されたメダルは、ゲームフィールド２２及びメダルプッシャー２４の上に落下する。
そのため、メダルプッシャー２４の上面で固定壁部材２６近くに落ちたメダルは固定壁部材２６に押され、前方（筐体正面の透明板のある方向。）に移動するので、これに押されて他のメダルも前方に移動し、やがてゲームフィールド２２上に落下し、次いでメダルプッシャー２４に押されて前方に進み、以前からあったメダルを押し、前方に移動させる。ゲームフィールド２２上のメダルは、次第に前方に押しやられ、やがてゲームフィールド２２の前縁から、図示されていない払出溝に落ち、プレイヤーに払い出される。
【００１８】
ゲームはこのようにして進行するが、ゲームフィールド２２の前縁近くに直ぐ落ちそうなメダルがある状態のとき、プレイヤーの手持ちメダルが尽きたりすると、プレイヤーの中には、メダルエントリー装置を左右に激しく振ってゲームフィールド２２に振動を与えメダルを振り落とそうとする者が現れる。
【００１９】
かかる行為は、次のプレイヤーが取得すべきメダルを横取りする不法行為であり、且つ、メダルエントリー装置その他の装置を損傷する恐れのある不法行為であり、許されるものではない。
然しながら、今日、ゲーム場では来店客に比べて店員の数が少なく、又、騒音も多いので、かかる不法行為を根絶することは困難であり、そのため、かかる不法行為の防止策の提案が求められていたが、今日まで有効な防止策は、提案されていない。
【００２０】
このため、本発明においては、メダルエントリー装置３０のアダプタ３５の上部回転軸３５Aと、筐体の一部、望ましくは前面透明板１０に取り付けたブラケット３６の間に、ロータリーダンパーを設ける。
【００２１】
ロータリーダンパーは、中空円盤形の密閉容器の中に回転円盤を設け、回転円盤の回転軸を容器壁を貫通して外方に突出させると共に、容器内に高粘度液体を満たしたもので、容器を固定し、回転円盤を回転させたとき、高粘性液体の粘性抵抗により回転円盤に制動力を作用させるものである。
【００２２】
ロータリーダンパーの取付方法の一例は、図５及び図６に示されている。
透明板１０にメダルエントリー装置３０を取り付けるためのアダプタ３５が設けられ、メダルエントリー装置３０は、そのブラケット３６を介して、アダプタ３５が鉛直に成るように、筐体正面の透明板１０の所定箇所に取り付けられる。
【００２３】
ロータリーダンパー３７は、鉛直に保持されたアダプタ３５の頂部と、ブラケット３６の上部の間に設けられる。
メダルエントリー装置３０はその主体部、即ちメダル銃３４の中心線に対しハンドル側に傾斜したアダプタ３５を有し、そのアダプタ３５の上面には、短く細い回転軸部３５ａが設けられ、下面には、上記回転軸部３５ａと同軸に軸取付孔３５ｂが設けられている。
【００２４】
ブラケット３６は、その上面では、回転軸部３５ａがブラケット３６に設けた軸孔３６ａにより回転自在に支持され、下面では、その軸取付孔３５ｂを通して、アダプタ３５の軸取付孔３５ｂに圧入される回転軸部材３9により回転自在に支持されている。
【００２５】
アダプタ３５の頂部に設けられた回転軸部３５ａには、これと同軸に、ロータリーダンパー３７の回転軸３７ａを支持する回転軸孔３５ｂが設けられており、回転軸部３７ａは、回転軸孔３５ｂに固く嵌め込まれ、これによりロータリーダンパー３７がアダプタ３５に連結される。
【００２６】
一方、ロータリーダンパー３７の本体ベース３７ｂは、ブラケット３６にネジ止めされるか、又は、ロータリーダンパーケース３８に設けた回り止めピン（図示せず）などにより回転を阻止されるかしており、このため、メダルエントリー装置３０を激しく振り回そうとすると、アダプタ３５は強い制動力を受けることになるので、メダル銃３４がストッパーに激突し、ゲーム装置が強い衝撃を受け、メダルが不正に払い出されることが防止される。
【００２７】
このため、悪質なプレイヤーによる不正行為が行われなくなる一方、メダルエントリー装置３０を緩やかに操作するときは、殆ど制動力が掛からないので、善良なプレイヤーのゲームには何ら支障がない。
【符号の説明】
【００２８】
１００      メダルプッシャーゲーム機、
１０        筐体前面の透明板、
２０        メダルエントリー装置
２２        ゲームフィールド
２４        メダルプッシャー
２６        固定壁部材
３０        メダルエントリー装置
３０Ａ      メダルエントリー装置Ａ
３０Ｂ      メダルエントリー装置Ｂ
３１        メダルガイド
３２        メダル判別装置
３３        ハンドル
３３ａ      メダル投入口
３４        メダル銃
３５        アダプタ
３５ａ      回転軸部
３５ｂ      回転軸孔
３６        ブラケット
３６ａ      回転軸孔ａ
３６ｂ      回転軸孔ｂ
３７        ロータリーダンパー
３７ａ      回転軸
３７ｂ      本体ベース
３８        ロータリーダンパーケース
３９        回転軸部材
３１０      メダル返戻ガイド
４０        ビデオディスプレイ装置、
５０        メダルホッパー、
６０        プラスチックカバー
【図１】
0005489355.tif 000002
【図２】
0005489355.tif 000003
【図３】
0005489355.tif 000004
【図４】
0005489355.tif 000005
【図５】
0005489355.tif 000006
【図６】
0005489355.tif 000007